(57)【特許請求の範囲】
【請求項１】
ボックス本体（３）の天板（８）の前縁部下面に取り付け可能でかつデッドボルト（１６）を突出状態とするために地震の揺れによって転動するオートロック手段（１９）を内部に有するケーシング（１５）と、前記ボックス本体（３）の前面開口部（４）に枢着されたウィング（５）の内面（５Ａ）に取り付けられる取付板（４２）とこの取付板（４２）から前記ウィング（５）の閉鎖方向へ突出する係止板（４３）とを一体に有するブラケット（４０）と、上下方向に沿って直線的に伸びるガイド面を有する前記ケーシング（１５）に設けられたガイド筒部（２１）と、このガイド筒部（２１）に上下方向に沿って全ストロークに渡って直線的に出退自在に挿通されかつ前記ブラケット（４０）の係止板（４３）の先端部に引っ掛かって前記ウィング（５）の開放を阻止する突出端部を有するデッドボルト（１６）と、を備え、地震の揺れによって前記ウィング（５）が僅かに開かれた状態で前記デッドボルト（１６）の突出端部が前記ブラケット（４０）の係止板（４３）の先端部に引っ掛かるようになっているウィング付き収納ボックスのオートロック装置において、
前記デッドボルト（１６）の突出端部に、前記ウィング（５）の開放方向に向けて突出するように前記ブラケット（４０）の係止板（４３）の先端部に形成された掛止部（４３Ａ）に対する引っ掛かりを確実にするための窪み部（７６）が設けられていることを特徴とするウィング付き収納ボックスのオートロック装置。
【請求項２】
ボックス本体（３）と、この本体（３）の前面開口部（４）に枢着されたウィング（５）と、前記ボックス本体（３）の天板（８）の前縁部下面に取り付けられかつデッドボルト（１６）を突出状態にするために地震の揺れによって転動するオートロック手段（１９）を内部に有するケーシング（１５）と、前記ウィング（５）の内面（５Ａ）に取り付けられた取付板（４２）とこの取付板（４２）から前記ウィング（５）の閉鎖方向へ突出する係止板（４３）とを一体に有するブラケット（４０）と、上下方向に沿って直線的に伸びるガイド面が形成されるように前記ケーシング（１５）に設けられたガイド筒部（２１）と、このガイド筒部（２１）に上下方向に沿って全ストロークに渡って直線的に出退自在に挿通されかつ前記ブラケット（４０）の係止板（４３）の先端部に引っ掛かって前記ウィング（５）の開放を阻止する突出端部を有するデッドボルト（１６）と、を備え、地震の揺れによって前記ウィング（５）が僅かに開かれた状態で前記デッドボルト（１６）の突出端部が前記ブラケット（４０）の係止板（４３）の先端部に引っ掛かるようになっているオートロック機能を有するウィング付き収納ボックスにおいて、
前記デッドボルト（１６）の突出端部に、前記ウイング（５）の開放方向に向けて突出するように前記ブラケット（４０）の係止板（４３）の先端部に形成された掛止部（４３Ａ）に対する引っ掛かりを確実にするための窪み部（７６）が設けられていることを特徴とするウィング付き収納ボックス。
【発明の詳細な説明】
【技術分野】
【０００１】
本発明は、ウィング付き収納ボックスとこれに用いるオートロック装置及びデッドボルトに関する。
【背景技術】
【０００２】
例えば、食器棚、本棚、タンス、化粧ケース等の家具に代表されるウィング付きの収納ボックスでは、前面が開放されたボックス本体の開口部に扉（ウィング）が観音開き状に枢着されている。
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。
【０００３】
このため、先の阪神大震災の経験からも判るように、大震度の地震等のため収納ボックスが大きく揺らされると、その揺れによって閉鎖されている扉が開いて食器等の収納物品が外に飛び出し、これによって収納物品が破損したり居住者に当たって負傷することがある。
【発明の開示】
【発明が解決しようとする課題】
【０００４】
そこで、本願発明者は、ボックス本体に生じた大きな揺れを検知してウィングを自動的にロックすることにより、収納物品が外へ飛び出すのを防止できるウィング付き収納ボックスのオートロック装置を既に特許出願している（特願平７−１８１７３９号，特願平７−１３４３７６号参照）。
かかるオートロック装置のうちで、外観上の体裁をよくするために収納ボックス内にオートロック装置を組み込んだもの（特願平７−１３４３７６号参照）では、ボックス本体内に取り付けられるロック装置本体と、ウィングの内面側に取り付けられるブラケットとを備え、前記ロック装置本体に、ボックス本体に過大な揺れが生じたときにだけウィングの開放を阻止するように前記ブラケットに係合する上下方向に沿って直線的に出退自在なデッドボルトを具備している。
【０００５】
しかるに、上記デッドボルトをロック装置本体に対して上下方向に沿って直線的に出退自在に設ける場合には、同ボルトをロック装置本体のケーシングに対して若干の遊びをもって挿通する必要がある。このため、デッドボルトの突出端部がブラケットによりウィングの開放方向に引っ張られると同方向にやや転倒し、デッドボルトが適切にロック位置に突出していても、ブラケットがその突出端部から抜け出し、ウィングを適切にロックできない場合がある。
本発明は、このような実情に鑑み、上下方向に沿って直線的に出退自在なデッドボルトがウィングの開放方向に若干転倒してもブラケットの掛止部を確実に捕まえられるようにして、当該デッドボルトによる地震時のロックを確実にすることを目的とする。
【課題を解決するための手段】
【０００６】
上記技術的課題を解決するために、本発明は次の技術的手段を講じた。
すなわち、本発明は、デッドボルトを突出状態（ロック状態）とするために地震の揺れによって転動するオートロック手段を内部に有するケーシングと、このケーシングに上下方向に沿って全ストロークに渡って直線的に出退自在に挿通されかつブラケットに引っ掛かってウィングの開放を阻止する突出端部を有するデッドボルトとを備え、地震の揺れによって前記ウィングが僅かに開かれた状態で前記デッドボルトの突出端部がブラケットの係止板の先端部に引っ掛かるようになっているオートロック装置並びに収納ボックスにおいて、前記デッドボルトの突出端部に、前記ウィングの開放方向に向けて突出するように前記ブラケットの係止板の先端部に形成された掛止部に対する引っ掛かりを確実にするための窪み部が設けられているものである。
【０００７】
かかる本発明によれば、ウィングの開放方向に向けて突出するようにブラケットの係止板の先端部に形成された掛止部がデッドボルトの窪み部に入り込んで同ボルトに掛止されるので、上下方向に沿って直線的に出退自在なデッドボルトがウィングの開放方向に若干転倒してもブラケットの掛止部を確実に捕まえることができる。
【発明の効果】
【０００８】
以上説明したように、本発明によれば、上下方向に沿って直線的に出退自在なデッドボルトがウィングの開放方向に若干転倒してもブラケットの掛止部を確実に捕まえることができるので、当該デッドボルトによる地震時のロックを確実にすることができる。
【発明の実施の形態】
【０００９】
以下、本発明の実施の形態を図面に基づき説明する。
図１〜図７は本発明の実施形態を示している。
このうち、図７は、本発明に係るオートロック装置を採用した収納ボックス２を示しており、この収納ボックス２は、タンス、食器ケース、化粧ケースその他の家具に使用されるもので、左右の側板３Ａと天板８及び底板９とから方形枠状に組み立てられたボックス本体３と、ボックス本体３の前面開口部４に同開口部４を開閉自在に閉鎖する左右一対の扉（ウィング）５とを備えている。
【００１０】
この左右一対の扉５は、その幅方向外側縁がボックス本体３の側板３Ａに蝶番６を介して枢着され、収納ボックス２の内外方向に回動自在ないわゆる観音開き式とされている。前記蝶番６にはバネが組み込まれており、該バネによって扉５が閉鎖方向に付勢されている。
ボックス本体３の天板８には、地震等の揺れによって左右一対の扉５が開くのを自動的に阻止する前記オートロック装置のロック装置本体１が左右一対の扉５に対応して一対取り付けられている。
【００１１】
図１及び図２に示すように、このロック装置本体１は、天板８の前縁部下面（ボックス本体３の開口縁部の内面）８Ａに取り付けられる合成樹脂製のケーシング１５と、このケーシング１５内に上下出退自在に挿通されたデッドボルト１６と、このデッドボルト１６を常時上方へ付勢する第一コイルバネ１７と、デッドボルト１６を予めケーシング１５内に保持しておく保持部材８３と、地震等に伴う過大な（震度２〜３程度）揺れを検知して保持部材８３をデッドボルト１６から解除するオートロック手段１９と、を備えている。
【００１２】
ケーシング１５は、天板８の下面８Ａにねじ止めされる上面側が開口された固定部２０と、この固定部２０の前端部に一体に形成された上下方向に沿って直線的に伸びるガイド面を有する有底筒状のガイド筒部２１と、固定部２０の上面開口部を閉鎖する蓋部材７７とを備えている。
図１に示すように、ケーシング１５は、その前端部が天板８の下面８Ａから適当な間隔をもって離間するよう、蓋部材７７に突設されたスペーサ部８１を介して天板８の下面８Ａにねじ止めされている。
すなわち、蓋部材７７の前端から中央にかけての部分は図１に示す取付状態において天板８の下面８Ａから離間しており、これにより、後述するブラケット４０の挿通空間８７が形成されている。また、この蓋部材７７の前端部に設けた挿通孔７９に前記デッドボルト１６が上下動自在に挿通されている。
【００１３】
図３に示すように、蓋部材７７は、固定部２０の上面開口部を閉鎖する方形板状の蓋本体８０と、この蓋本体８０の前端に固定したガイド部２６とからなり、蓋本体８０の左右両側に設けた第一ねじ孔２７に挿通した図外の取付ねじによって固定部２０に固定されている。蓋本体８０の下面の左右両側には、固定部２０に設けた位置決め孔２８に嵌合して同固定部２０に対する位置決めを行う位置決めピン２９が突設されている。
ガイド部２６は、固定部２０の前部に形成されている段部３０に嵌合し、このさい、前記保持部材８３の前部を前後方向（図１の左右方向）にガイドする。すなわち、ガイド部２６の中央部には下側に開口しかつ前後方向に延びるガイド溝３１が形成され、このガイド溝３１に板状の保持部材８３の前部を挿通することにより、同保持部材８３が前後方向にガイドされている。
【００１４】
また、蓋本体８０のスペーサ部８１とケーシング１５の固定部２０には、第二ねじ孔３２が形成されており、この第二ねじ孔３２に上向きに挿通した取付ねじを天板８の下面８Ａに向かってねじ込むことにより、ケーシング１５がスペーサ部８１を介して天板８に固定されている。
図１及び図２に示すように、デッドボルト１６は、ガイド筒部２１の内空長とほぼ同じ長さを有し、下端から中央部に延びる有底のバネ収納穴３４を備え、このバネ収納穴３４に収納した第一コイルバネ１７とともに、上下方向に沿って直線的に出退自在にとなるように前記ガイド筒部２１に挿通されている。
【００１５】
このとき、この第一コイルバネ１７は、その下端部がガイド筒部２１の底壁３５に立設した連結ピン３６に套嵌され、バネ収納穴３４内に圧縮状態で収納される。このため、デッドボルト１６は第一コイルバネ１７によって常時上方へ付勢されている。
デッドボルト１６の側面下部には左右一対のストッパー３７が突設されており、このストッパー３７は前記ガイド部２６の前端部２６Ａ（図３（ｂ）参照）に当接することにより、当該デッドボルト１６が上方へ抜け出すのを規制している。
【００１６】
一方、扉５の内面５Ａには、ロック位置に突出したデッドボルト１６に係止されて扉５の開放を規制するブラケット４０が取付ねじ４１によって固定されている。
図１及び図４に示すように、このブラケット４０は取付板４２とこれに直交する係止板４３とから側面視Ｌ字状に屈曲形成されている。ブラケット４０の係止板４３の先端部（収納ボックス３側の端部）には、ロック位置（図１の状態）に移動したデッドボルト１６の突出端部に引っ掛かる掛止部４３Ａが設けられている。
【００１７】
ブラケット４０は、取付板４２を取付ねじ４１によって扉５の内面５Ａにねじ止めすることにより、係止板４３が内面５Ａから後方へ突出するように取り付けられていて、このブラケット４０の取付位置は、扉５の閉鎖状態において当該係止板４３がデッドボルト１６の出退位置と同じ平面位置となり、かつ、前記挿通空間８７に入り込む高さ位置とされている。
このため、デッドボルト１６がそのガイド筒部２１内に納まっているときは、デッドボルト１６はブラケット４０から解除されており、扉５の開放を許容するアンロック位置となる。他方、デッドボルト１６が空間８７に突出したときは（図１の状態）、デッドボルト１６の上部が扉５に固定してあるブラケット４０の逃げ部（係合凹部）４４に入り込み、当該扉５の開放が阻止されるロック位置となる。
【００１８】
前記ケーシング１５の固定部２０には、デッドボルト１６の出退方向と交差するよう前後方向（扉５の開閉方向、図１における左右方向と同じ）に延びる収納部４５が形成されており、この収納部４５の左右方向中央部に、前記保持部材８３が前後方向移動自在にガイドされた状態で挿通されている。
すなわち、本実施形態の保持部材８３は、ほぼ短冊板状に形成された金属製のスライド板よりなり、収納部４５の底面中央部に凹設された前後方向のガイド溝４６の間に縦向きに嵌め込むことにより、収納部４５内に前後方向移動可能にガイドされている。また、収納部４５の底面に、転動部材１９Ａの案内突条４７が前記溝４６と平行に設けられている。
【００１９】
この板状の保持部材８３は、デッドボルト１６の側面に形成した掛止凹部４８に嵌合する掛止片（掛止部）４９を前端部に備え、当該保持部材８３をデッドボルト１６側に付勢する第二コイルバネ５０を連結するための連結片５１を後端部に備えている。
また、保持部材８３の中央部には上方に大きく開いた逃げ凹部８４が切り欠き形成され、その後部上端縁には、当該保持部材８３を第二コイルバネ５０に抗して後方へスライドさせるための解除片５３が形成されている。
【００２０】
なお、保持部材８６の掛止片４９の上縁には、デッドボルト１６の下方移動に伴って当該保持部材１８を後方へ押し戻すべく、前下がり傾斜状のテーパー部が形成されている。
一方、図１に示すように、保持部材８３の連結片５１を外嵌して取り付けられる第二コイルバネ５０は、収納部４５の後端壁部に当接して当該保持部材８３を常時前方へ付勢している。このコイルバネ５０の付勢力によって保持部材８３の掛止片４９がデッドボルト１６の掛止凹部４８内に強制的に嵌合され、これにより、デッドボルト１６を予めアンロック位置に保持することができる。  
【００２１】
本実施形態のオートロック手段１９は、ボール状の転動部材１９Ｂからなり、上記板状の保持部材８３とともに収納部４５内に収納され、保持部材８３の逃げ凹部８４内に前後方向転動自在に設けられている。
このため、転動部材１９Ｂがボックス本体３の揺れに伴って後方へ移動すると、保持部材１８の解除片５３に衝突して同保持部材１８をデッドボルト１６から解除させる。
また、転動部材１９Ｂは、収納部４５内でそのガイド溝４６により案内されている保持部材８３を、地震時の揺れ（例えば、震度２〜３程度の揺れ）によって、第二コイルばね５０の弾発力に抗して後方に押動させるに十分な慣性力（衝突力）を発生させうる重さに設計されている。
【００２２】
なお、転動部材１９Ｂの材料としては、地震等による震度２〜３程度の揺れにより感度良く確実に転動し、かつその感度を長期間持続させうる錆の発生しにくい金属として、例えば真鍮を採用するのが好ましいが、鋼材の外周に樹脂を被覆したものであってもよい。また、樹脂内に鉛等の比重の高い金属を埋設したものも採用できる。
なお、オートロック手段１９として、ローラ状の転動部材を採用することもできる。
【００２３】
この転動部材１９Ｂは、ボックス本体３が揺れることによって収納部４５内で前後に往復転動するが、その揺れが地震等により生じた大きなものであるときは、その転動による慣性力が大きくなって保持部材８３の解除片５３に強く衝突する。
この衝突により、第二コイルバネ５０によって前方へ付勢されている保持部材８３が後方（図１の左側）へ移動して保持部材８３の掛止片４９がデッドボルト１６の掛止凹部４８から離脱し、その後、デッドボルト１６が第一コイルバネ１７によって上方に突出されてロック位置となる。
【００２４】
図１に示すように、前記ブラケット４０の係止板４３は、その先端部から中途部に至る部分を上方に屈曲してなる逃げ部４４を備えている。この逃げ部４４は、扉５が完全に閉鎖されたとき、デッドボルト１６よりもやや後方（ボックス本体３内部側）に位置するように形成されており、このさい、逃げ部４４の基端屈曲部が丁度デッドボルト１６の後側面に位置するようになっている。
従って、デッドボルト１６がロック位置に突出できるのは、図１に示す如く、扉５が若干開いて逃げ部４４がデッドボルト１６の直上にきたときである。そして、逃げ部４４に突出したデッドボルト１６は、その突出端部でブラケット４０の掛止部４３Ａを掛止し、ウィング５が開放方向に移動するのを規制する。
【００２５】
また、図１に示すように、オートロック装置は、デッドボルト１６がブラケット４０に係合している状態（図１の状態）からさらに扉５を閉鎖方向に移動させることにより、デッドボルト１６をアンロック位置に押し戻すためのロック解除機構を備えている。
そして、本実施形態では、このロック解除機構として、扉５の閉鎖方向に移動するブラケット４０の同方向中途部がデッドボルト１６の突出端部に直接当接することによりそのデッドボルト１６を没入側である下方に押し戻す形状に形成された第一及び第二カム部６１，６２よりなるカム機構を採用している。
【００２６】
より具体的には、上記第一カム部６１は、ブラケット４０の係止板４２の中途部において前下がり傾斜状に形成されている。換言すると、この第一カム部６１は、ブラケット４０における扉５開閉方向中途部に、デッドボルト１６側（収納ボックス３側）に近づくに従い同ボルト１６の突出側に傾斜するように形成されている。
他方、第二カム部６２は、デッドボルト１６の突出端面を前下がり傾斜状にカットして形成されている。換言すると、この第二カム部６２は、デッドボルト１６の突出端部に形成されかつブラケット４０側（ボックス３の外側）に向かうに従い当該デッドボルト１６の没入側に傾斜するように形成されている。
【００２７】
このため、ロック位置に突出したデッドボルト１６が逃げ部４４に係合した状態から扉５を閉鎖位置に移動したとき、カム部６１，６２同士が押圧接当してデッドボルト１６をアンロック位置に押圧するようになっている。
すなわち、デッドボルト１６がブラケット４０に係合している状態（デッドボルト１６の突出端部が逃げ部４４に入り込んでいる状態）からさらに扉５を閉鎖方向に移動すると、ブラケット４０の第一カム部６１がデッドボルト１６の第二カム部６２に当接して、デッドボルト１６がアンロック位置に押し戻されることになる。
【００２８】
また、ブラケット４０の係止板４３の先端部には、前記第一カム部６１とほぼ同じ角度で前下がりに湾曲した第三カム部６４が設けられている。
この第三カム部６４は、ブラケット４０のすべての部分が収納ボックス３の外側に位置するように完全に開放されている扉５を閉鎖方向へ移動させることによっても、ロック位置にあるデッドボルト１６をアンロック位置側に押圧できるようにするもので、扉５が大きく完全に開いた状態においてデッドボルト１６がロック位置Ｂに突出したとき、デッドボルト１６とブラケット４０とが干渉して扉５が閉鎖できなくなるのを防止する。
【００２９】
すなわち、扉５が大きく完全に開いた状態でデッドボルト１６がアンロック位置に突出したとき、この状態から扉５を閉鎖移動すれば、第二カム部６２と第三カム部６４とが押圧接当してデッドボルト１６をアンロック位置に向けて押圧し、これによりブラケット４０の先端部がデッドボルト１６を乗り越えられるので、デッドボルト１６がロック位置にあるときでも完全開放状態の扉５を簡単に閉鎖でき、扉５のスムーズな閉鎖を可能にする。
上記実施形態に係るオートロック装置によれば、第一コイルバネ１７に抗してデッドボルト１６を押し下げると、保持部材８３の掛止片４９が掛止凹部４８に嵌合し、デッドボルト１６をアンロック位置に保持する。このため、デッドボルト１６はボックス本体３に大きな揺れが生じていない通常の場合は常にアンロック位置に保持されており、この場合は扉５を自由に開閉することができる。
【００３０】
一方、ボックス本体３に想定した震度よりも大きな揺れが生じると、転動部材１９Ｂが保持部材８３の解除片５３に衝突したときの衝撃力によって掛止片４９による保持が解除される。このため、扉５が僅かに開かれてブラケット４０の逃げ部４４がデッドボルト１６の直上にきたときに、同デッドボルト１６が自動的にロック位置に移動し、デッドボルト１６の突出端部がブラケット４０の掛止部４３Ａに引っ掛かり、扉５の開放が阻止される。その結果、収納ボックス２内の食器等の収納物が外部に飛び出すのが未然に防止される。
【００３１】
そして、上記のようにデッドボルト１６がブラケット４０に係合している状態から、さらに扉５を閉鎖方向に移動させると、ブラケット４０の第一カム部６１がデッドボルト１６上端の第二カム部６２に当接して同ボルト１６をアンロック位置に押し戻し、その後、保持部材８３がデッドボルト１６をそのアンロック位置に保持し、これによってロックを解除することができる。
このように、本実施形態では、扉５を閉鎖方向に押すだけでデッドボルト１６によるロックをワンタッチで解除することができるので、オートロック装置が地震によらずに軽微な振動でロックされたような場合でも、極めて簡単な操作でそのロックを解除することができる。
【００３２】
また、扉５を押し戻すという極めて簡単な操作でロック解除できるようになったことから、オートロック装置の揺れ検出の感度を上げても、収納ボックス２の使用に不便が生じなくなり、このため、同装置の揺れ検出の感度を極めて鋭敏にすることができる。
なお、上記実施形態において、左右の扉５のうち一方の扉５の縁部に、両扉５間の間隙を閉鎖する帯板状の召し合わせ部材を固着する場合には、他方の扉５を開かないと一方の扉５を開くことができないので、他方の扉５のみにブラケット４０を設け、これを自動的に係止するロック装置本体１をボックス本体３に一つ設ければ足りる。
【００３３】
ただし、召し合わせ部材が一方の扉５に対して揺動自在に枢着されている場合には、左右両扉５にブラケット４０を設け、これらのブラケット４０に対応するボックス本体３のそれぞれの位置にロック装置本体１を設ける必要がある。
また、片方開き扉５の収納ボックス２の場合には、ロック装置本体１をボックス本体３の立側面に取り付けることもできる。
なお、本実施形態では、ブラケット４０に設けた第一カム部６１とデッドボルト１６に設けた第二カム部６２とにより、扉５を閉鎖移動したときデッドボルト１６をアンロック位置に押圧するカム機構を構成しているが、ブラケット４０に設けた第一カム部６１のみにて、ウィング５の閉鎖方向への移動によりブラケット４０がロック位置にあるデッドボルト１６をアンロック位置に押圧するようにしてもよい。
【００３４】
すなわち、カム機構は、第一及び第二カム部６１，６２の双方だけでなく、第一カム部６１がけから構成することもできる。
また、本実施形態では、揺れを検知して保持部材１８をデッドボルト１６から解除するオートロック手段１９を、ボール状の転動部材１９Ｂにより構成しているが、これに代え、オートロック手段１９を、保持部材８３に対して摺動する重り部材（例えば、特願平７−１３４３７６号参照）により構成してもよい。
また、本実施形態では、収納ボックス２は、蝶番６に組み込んだバネによって扉５を閉鎖方向に付勢するように構成されているが、これに代え、収納ボックス２は、マグネットにより扉５を閉鎖位置に吸引保持するようにしたものであってもよいし、扉５を閉鎖位置に保持する機構を有しない収納ボックスであってもよい。
【００３５】
本実施形態では、ブラケット４０側に形成する第一カム部６１として、ブラケット４０に取り付けられかつデッドボルト１６の出退方向（図例では上下方向）に弾性変形するバネ部材７１を採用している。
図１及び図４に示すように、このバネ部材７１は、ブラケット４０の取付板４２の内面に固定された固定板部７２と、この固定板部７２の上端縁から後方へ延設された当接板部７３とを有する板バネよりなる。なお、このバネ部材７１は、板バネだけでなく棒状のバネを採用することもできる。
【００３６】
当接板部７３は、その中途部を下方に屈曲することで側面視ほぼくの字状を呈し、その屈曲部から先端に至る部分を前下がり傾斜状に形成することで、デッドボルト１６の突出端部に対する当接部分７４（第一カム部６１）を備えている。この当接部分７４は、ブラケット４０の逃げ部４４に入り込んだ状態でデッドボルトボルト１６の第二カム部６２とほぼ同じ角度に傾斜しており、かつ、その第二カム部６２よりも長い当接面を有している。
なお、図１及び図４に示すように、ブラケット４０の係止板４３の幅方向中央部には、上方に弾性変形した当接板部７３と同係止板４３との干渉を避けるための逃げ長孔７５が設けられている。
【００３７】
また、本実施形態では、デッドボルト１６の突出端部に、ブラケット４０の掛止部４３Ａに対する引っ掛かりを確実にするための窪み部７６を設けている。
この窪み部７６は、図１及び図２に示すように、ブラケット１６の突出端部の後側面を上下方向一定範囲に渡って浅く彫り込むことによって形成されていて、このため、ブラケット４０の掛止部４３Ａは、当該窪み部７６に入り込んだ状態でデッドボルト１６の突出端部に掛止されることになる（図１参照）。
更に、本実施形態では、蓋部材７７の上面に、前後方向（扉５の開閉方向）に延びる左右一対のガイドリブ７８が設けられている。
【００３８】
図２及び図３に示すように、このガイドリブ７８は、デッドボルト１６の挿通孔７９を左右から挟む位置に立設されており、蓋本体８０の先端縁からスペーサ部８１の根元に至る範囲に渡って前後方向に延設されている。このガイドリブ７８の突出高さは、アンロック位置に保持されているデッドボルト１６の上端縁と同量か又はそれより大きい突出量に設定されている。
また、図１及び図２に示すように、本実施形態では、保持部材８３の逃げ凹部８４の底部に、後方（反デッドボルト１６側）に向かうに従い当該逃げ凹部８４が深くなる方向に傾斜した傾斜縁８５が形成されていて、この傾斜縁８５により、転動部材１９Ｂが常に解除片８６の近傍に位置するようにしている。
【００３９】
このため、転動部材１９Ｂが少し転動するだけで、同部材１９Ｂを保持部材８３の解除片８６に衝突させることができ、オートロック装置の揺れに対する感度を向上することができる。
なお、本実施形態では、ブラケット４０にバネ部材７１を取り付けることでデッドボルト１６に対する上下方向の当接範囲を広げているので、蓋部材７７のスペーサ部８１の上下長さを比較的大きくしてバネ部材７１も挿通空間８７に挿通できるようにしている。
【００４０】
更に、図２に示すように、ケーシング１５は、その前端部のガイド筒部２１を丸みを有するカバー部材８８で一体に覆うことにより、平面視で四隅が丸みを帯びた四角形に形成されている。
次に、図５及び図６を参照しつつ、本実施形態に係るオートロック装置の作用を説明する。
まず、図５（ａ）に示すように、デッドボルト１６がアンロック位置に保持されているときは、ブラケット４０の係止板４３及びバネ部材７１はいずれもロック装置本体１側の挿通空間８７を自由に行き来でき、この場合、扉５を自由に開閉することができる。
【００４１】
一方、図５（ｂ）に示すように、ボックス本体３に想定した震度よりも大きな揺れが生じると、転動部材１９Ｂの保持部材１８の解除片５３に衝突したときの衝撃力によって掛止片４９による保持が解除される。このため、扉５が僅かに開かれてブラケット４０の逃げ部４４がデッドボルト１６の直上にきたときに、同デッドボルト１６が自動的にロック位置に移動し、デッドボルト１６の突出端部がブラケット４０の掛止部４３Ａに引っ掛かり、扉５の開放が阻止される。
このさい、本実施形態では、ブラケット４０の掛止部４３Ａがデッドボルト１６の窪み部７６に入り込んだ状態で両者が係合するので、ケーシング１５のガイド筒部２１に対する遊び等によってデッドボルト１６が扉５の開放方向に若干転倒しても、ブラケット４０の掛止部４３Ａが扉５の開放方向に抜け出すのを未然に防止できる。
【００４２】
そして、図５（ｂ）に示すデッドボルト１６がブラケット４０に係合している状態から扉５を閉鎖方向に移動させると、ブラケット４０の第一カム部６１（バネ部材７１）がデッドボルト１６上端の第二カム部６２に当接して同ボルト１６をアンロック位置に押し戻し、その後、保持部材８３がデッドボルト１６をそのアンロック位置に保持し、これによってデッドボルト１６によるロックが解除される。
この場合、本実施形態では、第一カム部６１として上下方向に弾性変形自在なバネ部材７１を採用したので、図５（ｂ）と図６（ａ）（ｂ）に示すように、扉５のガタつきやブラケット４０の取付誤差等により同ブラケット４０の取付高さが若干変化しても、第一カム部６１がデッドボルト１６の突出端部（第二カム部６２）に確実に当接するようになり、このため、カム機構よりなるロック解除機構をより確実に作動できるようになる。
【００４３】
また、図５（ｃ）に示すように、扉５が完全に開放している状態でデッドボルト１６が突出している場合でも、そのまま扉５を閉鎖方向に移動すれば、ブラケット４０の先端部に形成した第三カム部６４がデッドボルト１６の第二カム部６２を押し下げるので、デッドボルト１６を指で押し戻すことなく、扉５を簡単に閉鎖できる。
更に、本実施形態では、ガイドリブ７８がアンロック位置にあるデッドボルト１６の上端縁と同量又はより大きく突出しているので、蝶番６の劣化等の原因で扉５が徐々に下がってきても、ブラケット４０の掛止部４３Ａはガイドリブ７８に当接し、アンロック位置にあるデッドボルト１６には掛止されない。
【００４４】
このため、アンロック位置にあるデッドボルト１６により扉５がロックされてしまうのを未然に防止することができる。
なお、上記した実施形態は例示的なものであって限定的なものではない。すなわち、本発明の範囲は前記した特許請求の範囲によって示され、その請求項の意味に入るすべての変形例は本発明に含まれるものである。
【図面の簡単な説明】
【００４５】
【図１】本発明のオートロック装置の取付及びロック状態を示す側面断面図である。
【図２】ロック装置本体の分解斜視図である。
【図３】（ａ）は蓋部材の平面図、（ｂ）は同蓋部材の側面図、（ｃ）は同蓋部材の正面図、（ｄ）は同蓋部材の底面図である。
【図４】（ａ）はブラケットの平面図、（ｂ）は同ブラケットの側面図、（ｃ）は同ブラケットの底面図である。
【図５】オ−トロック装置の作用説明図であり、（ａ）はデッドボルトがアンロック位置にある状態を示す図であり、（ｂ）はデッドボルトがロック位置にある状態を示す図であり、（ｃ）はデッドボルトがロック位置にあるが扉が解放している状態を示す図である。
【図６】（ａ）はブラケットの取付位置が上方に変化した状態を示す図であり、（ｂ）はブラケットの取付位置が下方に変化した状態を示す図である。
【図７】本発明のオートロック装置が装着された収納ボックスの斜視図である。
【符号の説明】
【００４６】
１      ロック装置本体
２      収納ボックス
３      ボックス本体
４      前面開口部
５      ウィング（扉）
５Ａ    内面
１６      デッドボルト
４０      ブラケット
４３Ａ    掛止部
７６      窪み部
【図１】
0003639583.tif 000002
【図２】
0003639583.tif 000003
【図３】
0003639583.tif 000004
【図４】
0003639583.tif 000005
【図５】
0003639583.tif 000006
【図６】
0003639583.tif 000007
【図７】
0003639583.tif 000008